(57)【要約】【課題】ユーザの利便性を向上させた適切な再生が行える再生装置等を提供する。【解決手段】記憶部１１には、再生対象となる楽曲群を論理的に分け、それぞれを異なるソース（仮想ディスク）として管理するためのソース管理情報１１ａと、ソース単位に再生される楽曲が中断された際の状況を示す中断時情報を記憶する再生管理情報１１ｂとが記憶される。処理制御部１５は、操作部１６から任意のソースが指定され、そのソースの再生が指示されると、ソース管理情報１１ａを参照し、ディスク再生部１２の再生を制御する。つまりディスク再生部１２は、ソースの楽曲群を、対象のディスクから順番に再生する。なお、ソースの再生が中断されると、再生管理情報１１ｂに中断時情報がセットされる。そして、再びそのソースが再生される際には、この中断時情報に従って、中断した楽曲から再生が再開される。【選択図】図１
2007280544.tif 000002
【特許請求の範囲】
【請求項１】
複数のコンテンツが記録された記録媒体を再生する再生装置であって、
各コンテンツのうち、再生対象となるコンテンツをコンテンツ群として論理的に分け、それぞれを異なるソースとして管理するソース管理手段と、
前記ソース管理手段により管理されるソースのうち、１つのソースを任意に選択し、ソース単位の再生を指示する再生指示手段と、
前記再生指示手段によって再生が指示されたソースのコンテンツ群に含まれるコンテンツを、対象の記録媒体から順番に再生する再生手段と、
を備えることを特徴とする再生装置。
【請求項２】
前記再生手段によって再生されるソースのコンテンツの再生が中断された際の状況を示す中断時情報をソース単位に記憶する中断時情報記憶手段を更に備え、
前記再生手段は、再生対象となるソースに対応した中断時情報が前記中断時情報記憶手段に記憶されている場合に、当該中断時情報に従って、中断されたコンテンツから再生を再開する、
ことを特徴とする請求項１に記載の再生装置。
【請求項３】
前記ソース管理手段は、再生モードが同一となるコンテンツをコンテンツ群として論理的に分け、それぞれを再生モードが異なるソースとして管理し、
前記再生手段は、再生が指示されたソースのコンテンツ群に含まれるコンテンツを、対象の再生モードに切り替えて、記録媒体から再生する、
ことを特徴とする請求項１に記載の再生装置。
【請求項４】
楽曲が記録された複数のディスクを切り替えて再生可能な再生装置であって、
各ディスクの楽曲のうち、再生対象となる楽曲を楽曲群として論理的に分け、それぞれを異なる仮想ディスクとして管理する仮想ディスク管理手段と、
前記仮想ディスク管理手段により管理される仮想ディスクのから、１つの仮想ディスクを任意に選択し、仮想ディスク単位の再生を指示する再生指示手段と、
前記再生指示手段によって再生が指示された仮想ディスクの楽曲群に含まれる楽曲を、対象のディスクを切り替えながら順番に再生する再生手段と、
前記再生手段によって再生される仮想ディスクの楽曲の再生が中断された際の状況を示す中断時情報を仮想ディスク単位に記憶する中断時情報記憶手段と、を備え、
前記再生手段は、再生対象となる仮想ディスクに対応した中断時情報が前記中断時情報記憶手段に記憶されている場合に、当該中断時情報に従って、中断された楽曲から再生を再開する、
ことを特徴とする再生装置。
【請求項５】
複数のコンテンツが記録された記録媒体を再生する装置における再生方法であって、
各コンテンツのうち、再生対象となるコンテンツをコンテンツ群として論理的に分け、それぞれを異なるソースとして管理するソース管理ステップと、
前記ソース管理ステップにて管理されるソースのうち、１つのソースを任意に選択し、ソース単位の再生を指示する再生指示ステップと、
前記再生指示ステップにて再生が指示されたソースのコンテンツ群に含まれるコンテンツを、対象の記録媒体から順番に再生する再生ステップと、
を備えることを特徴とする再生方法。
【発明の詳細な説明】
【技術分野】
【０００１】
この発明は、再生装置、および、再生方法に関する。
【背景技術】
【０００２】
近年、楽曲が記録されたＣＤやＭＤ等のディスクや、映像及び音声が記録されたＤＶＤ等のディスクを再生する再生装置が広く普及している。このような再生装置は、一般に、リジューム（レジューム）再生機能を有しており、ディスクの再生を途中で終わらせても、次の再生時に、前回中断した箇所（リジュームポイント）から引き続いて再生が行えるようになっている。
また、最近では、リジューム時に、中断した楽曲（映像等）の先頭に戻って、再生を再開することのできる再生装置も知られている。
【０００３】
なお、このようなリジューム機能の一例として、リジュームポイントからの再生、若しくは、リジュームポイントを含むトラックの先頭からの再生を、再生中断状況に応じて自動的に選択することのできる再生装置の技術も開示されている（例えば、特許文献１参照）。
【特許文献１】特開２００１−３５０６３公報  （第４−５頁、第１図）
【発明の開示】
【発明が解決しようとする課題】
【０００４】
上述したリジューム機能を有する再生装置では、ディスクの再生を中断した後に、別のディスクの再生を行ってしまうと、再び元のディスクを再生しようとしても、リジューム機能が使えないという問題があった。つまり、ディスクＡの再生を途中で終え、ディスクＢに切り替えて再生を行うと、再度ディスクＡに切り替えて再生しても、リジュームポイント等から再生されず、通常通りにディスクＡの最初から再生が開始されてしまう。
【０００５】
また、再生装置は、プログラム再生機能も有しており、ユーザが所望の楽曲（映像等）を登録して、それらを順番に再生することができる。例えば、１枚のディスクにお気に入りの楽曲が２曲（曲Ａ，曲Ｂ）あった場合、ユーザは、それらを登録することで、プログラム再生機能により、曲Ａ，曲Ｂを連続して聴くことができる。
それでも、このプログラム再生機能は、登録された楽曲を順番に再生するだけであるため、楽曲の再生途中で中断（スキップ等）した後に、別の楽曲を再生してしまうと、再度その中断した楽曲から再生を再開することはできなかった。例えば、曲Ａの再生を中断して、曲Ｂを再生してしまうと（曲Ｂに進んでしまうと）、曲Ａの中断箇所から再生を再開することは、不可能であった。
【０００６】
すなわち、従来の再生装置では、ユーザの利便性を向上させた再生が実現できていないという問題があった。
【０００７】
本発明は、上記実状に鑑みてなされたもので、ユーザの利便性を向上させた適切な再生を行うことのできる再生装置、および再生方法を提供することを目的とする。
【課題を解決するための手段】
【０００８】
上記目的を達成するため、本発明の第１の観点に係る再生装置は、
複数のコンテンツが記録された記録媒体を再生する再生装置であって、
各コンテンツのうち、再生対象となるコンテンツをコンテンツ群として論理的に分け、それぞれを異なるソースとして管理するソース管理手段と、
前記ソース管理手段により管理されるソースのうち、１つのソースを任意に選択し、ソース単位の再生を指示する再生指示手段と、
前記再生指示手段によって再生が指示されたソースのコンテンツ群に含まれるコンテンツを、対象の記録媒体から順番に再生する再生手段と、
を備えることを特徴とする。
【０００９】
上記の再生装置は、前記再生手段によって再生されるソースのコンテンツの再生が中断された際の状況を示す中断時情報をソース単位に記憶する中断時情報記憶手段を更に備え、
前記再生手段は、再生対象となるソースに対応した中断時情報が前記中断時情報記憶手段に記憶されている場合に、当該中断時情報に従って、中断されたコンテンツから再生を再開してもよい。
【００１０】
前記ソース管理手段は、再生モードが同一となるコンテンツをコンテンツ群として論理的に分け、それぞれを再生モードが異なるソースとして管理し、
前記再生手段は、再生が指示されたソースのコンテンツ群に含まれるコンテンツを、対象の再生モードに切り替えて、記録媒体から再生してもよい。
【００１１】
上記目的を達成するため、本発明の第２の観点に係る再生装置は、
楽曲が記録された複数のディスクを切り替えて再生可能な再生装置であって、
各ディスクの楽曲のうち、再生対象となる楽曲を楽曲群として論理的に分け、それぞれを異なる仮想ディスクとして管理する仮想ディスク管理手段と、
前記仮想ディスク管理手段により管理される仮想ディスクのから、１つの仮想ディスクを任意に選択し、仮想ディスク単位の再生を指示する再生指示手段と、
前記再生指示手段によって再生が指示された仮想ディスクの楽曲群に含まれる楽曲を、対象のディスクを切り替えながら順番に再生する再生手段と、
前記再生手段によって再生される仮想ディスクの楽曲の再生が中断された際の状況を示す中断時情報を仮想ディスク単位に記憶する中断時情報記憶手段と、を備え、
前記再生手段は、再生対象となる仮想ディスクに対応した中断時情報が前記中断時情報記憶手段に記憶されている場合に、当該中断時情報に従って、中断された楽曲から再生を再開する、
ことを特徴とする。
【００１２】
上記目的を達成するため、本発明の第３の観点に係る再生方法は、
複数のコンテンツが記録された記録媒体を再生する装置における再生方法であって、
各コンテンツのうち、再生対象となるコンテンツをコンテンツ群として論理的に分け、それぞれを異なるソースとして管理するソース管理ステップと、
前記ソース管理ステップにて管理されるソースのうち、１つのソースを任意に選択し、ソース単位の再生を指示する再生指示ステップと、
前記再生指示ステップにて再生が指示されたソースのコンテンツ群に含まれるコンテンツを、対象の記録媒体から順番に再生する再生ステップと、
を備えることを特徴とする。
【発明の効果】
【００１３】
本発明によれば、ユーザの利便性を向上させた適切な再生を行うことができる。
【発明を実施するための最良の形態】
【００１４】
本発明の実施の形態にかかる再生装置について、以下図面を参照して説明する。なお、楽曲が記録されたディスク（ＣＤ等）を再生する再生装置を一例として説明する。
【００１５】
図１は、この発明の実施形態に適用される再生装置の構成の一例を示す模式図である。
図示するように、この再生装置１は、記憶部１１と、ディスク再生部１２と、アンプ１３と、スピーカ１４と、処理制御部１５と、操作部１６と、表示部１７とから構成される。
【００１６】
記憶部１１は、例えば、不揮発性メモリ等からなり、ソース管理情報１１ａ及び、再生管理情報１１ｂ等を記憶する。
【００１７】
ソース管理情報１１ａは、ディスク再生部１２にて実際に再生対象となるディスク（物理ディスク）に記録された各楽曲から、所望の楽曲群を論理的に分け、それぞれ異なるソース（仮想ディスク）として管理するための情報である。
具体的には、図２（ａ），（ｂ）に示すように、所望の楽曲群がそれぞれの仮想ディスクに論理的に分けられて管理される。つまり、仮想ディスク毎に、各楽曲の曲名、ディスクＩＤ（例えば、ＴＯＣのダイジェスト等）、及び、トラック（トラック番号）が管理されている。
この例の場合では、図２（ｃ）に示すように、１枚の物理ディスクの楽曲が２枚の仮想ディスクに論理的に分けられて管理されている。
なお、物理ディスクの数は、複数であってもよく、また、仮想ディスクの数も、２より大きくてもよい。
【００１８】
図１に戻って、再生管理情報１１ｂは、ソース単位（仮想ディスク単位）に再生される楽曲が中断された状況を管理するための情報である。
具体的には、図３に示すように、仮想ディスク毎に中断時情報が管理される。つまり、中断の有無と、中断時の再生状況が管理されている。
この例の場合では、一方の仮想ディスク（ＢＤ１）に中断があったことを示している。
【００１９】
図１に戻って、ディスク再生部１２は、処理制御部１５に制御され、ディスク（物理ディスク）に記録された対象の楽曲を再生する。そして、再生した楽曲信号をアンプ１３に供給する。つまり、ディスク再生部１２は、ソース管理情報１１ａ（任意の仮想ディスク）に沿って、対象の楽曲を順番に再生する。
なお、ディスク再生部１２は、複数のディスク（物理ディスク）を切り替えて再生可能であってもよい。例えば、再生装置１がディスクチェンジャ機構等を有している場合に、ディスク再生部１２は、処理制御部１５に制御され、ソース管理情報１１ａに沿って、複数のディスクを適宜切り替えながら、対象の楽曲を再生する。
【００２０】
アンプ１３は、例えば、イコライザ機能を備えた増幅ユニット等からなり、ディスク再生部１２から供給される楽曲信号（音声信号）を適宜増幅等して、スピーカ１４に供給する。
【００２１】
スピーカ１４は、例えば、２チャンネルのステレオスピーカ等からなり、アンプ１３から供給された楽曲信号に基づいて、楽曲音を出力する。
【００２２】
処理制御部１５は、メモリを備えたＣＰＵ（Central Processing Unit）等からなり、再生装置１全体を制御する。
具体的に処理制御部１５は、ユーザから操作部１６を介して再生対象となる任意のソース（仮想ディスク）が指定され、そのソースの再生が指示されると、記憶部１１に記憶されたソース管理情報１１ａ（指定された仮想ディスク）を参照し、ディスク再生部１２を制御して、対象の楽曲群を順番に再生させる。
そして、再生中に、ソースの切り替え等により、楽曲の再生が中断すると、処理制御部１５は、記憶部１１の再生管理情報１１ｂに中断した際の再生状況を示す中断時情報をセットする。そして、再び、元のソースが再生対象となると、処理制御部１５は、再生管理情報１１ｂ（セットされた中断時情報）を参照して、中断した楽曲から再生を再開する。
【００２３】
操作部１６は、再生装置１に配置された操作パネルや、所定のリモコン等からなり、ユーザの操作に応じた指示情報を処理制御部１５に供給する。
例えば、操作部１６は、ソース（仮想ディスク）を指定した再生や、再生中のソース切り替え等の指示情報を処理制御部１５に供給する。
【００２４】
表示部１７は、液晶表示パネルや光電管表示パネル等からなり、再生装置１の動作状況等をユーザに報知するため、処理制御部１５に制御され、種々の情報を表示する。
例えば、表示部１７は、ユーザに指定された仮想ディスクを表す情報や、実際に再生しているディスク（物理ディスク）のトラック番号やタイムコード等を表示する。
【００２５】
以下、このような構成の再生装置１の動作について、図４を参照して説明する。図４は、処理制御部１５にて実行されるリジューム再生処理を説明するためのフローチャートである。
このリジューム再生処理は、一例として、ユーザからの再生指示（ソースを指定した再生指示）に応答して開始される。なお、記憶部１１には、上述した図２（ａ），（ｂ）に示すようなソース管理情報１１ａ等が記憶されているものとする。
【００２６】
まず、処理制御部１５は、指定されたソース（仮想ディスク）の再生を受け付ける（ステップＳ１１）。つまり、ユーザにより操作部１６が操作され、任意の仮想ディスクを指定した再生指示が、操作部１６から処理制御部１５に供給される。そして、処理制御部１５は、この再生指示を取得して、再生対象の仮想ディスクを認識する。
【００２７】
処理制御部１５は、指定されたソースに対応する中断時情報が有るか否かを判別する（ステップＳ１２）。つまり、記憶部１１に記憶される再生管理情報１１ｂに、指定された仮想ディスクについての中断時情報がセットされているかどうかを判別する。
より詳細には、上述した図３に示す再生管理情報１１ｂにおいて、中断有無が有りとなっている場合に、処理制御部１５は、指定された仮想ディスクについての中断時情報がセットされていると判別する。
【００２８】
処理制御部１５は、対応する中断時情報がないと判別すると、ソース管理情報１１ａを参照し、そのソースの最初の楽曲から再生を開始する（ステップＳ１３）。
例えば、仮想ディスクＩＤがＢＤ２の仮想ディスクが指定された場合に、処理制御部１５は、上述した図２（ｂ）に示すようなソース管理情報１１ａを参照し、最初の楽曲（Track７）の再生をディスク再生部１２に指示する。そして、ディスク再生部１２がその楽曲の再生を開始する。
【００２９】
一方、対応する中断情報が有ると判別した場合に、処理制御部１５は、中断情報を参照し、中断した楽曲から再生を再開する（ステップＳ１４）。
例えば、仮想ディスクＩＤがＢＤ１の仮想ディスクが指定され、上述した図３に示すような再生管理情報１１ｂが参照されると、処理制御部１５は、中断した楽曲（Track３）のタイムコード（2:23）からの再生をディスク再生部１２に指示する。そして、ディスク再生部１２がその楽曲のタイムコードから再生を開始する。
【００３０】
そして、処理制御部１５は、対象の中断時情報をクリアする（ステップＳ１５）。つまり、中断した楽曲からの再生を開始したため、不要となった中断時情報をクリアして再生管理情報１１ｂを更新する。
【００３１】
こうして楽曲の再生を開始すると、処理制御部１５は、ソース管理情報１１ａに沿って、楽曲の再生を続ける（ステップＳ１６）。つまり、再生中の楽曲が終了したら、その仮想ディスクにおける次の楽曲の再生を引き続き行う。
【００３２】
処理制御部１５は、ソースの切り替えが有ったか否かを判別する（ステップＳ１７）。つまり、ユーザにより操作部１６が操作され、再生中において、別の仮想ディスクへの切り替え指示がなされたかどうかを判別する。
【００３３】
処理制御部１５は、ソースの切り替えが有ったと判別すると、再生管理情報１１ｂの中断時情報を更新する（ステップＳ１８）。つまり、再生を中断したディスクＩＤ、中断時のトラック（トラック番号）及び、中断時のタイムコードを含む中断時情報を再生管理情報１１ｂにセットする。
【００３４】
そして、処理制御部１５は、ステップＳ１１に処理を戻し、切り替え先のソースの再生を受け付けることからやり直す。
一方、ステップＳ１７にて、ソースの切り替えがないと判別した場合に、処理制御部１５は、全曲の再生が終了したか否かを判別する（ステップＳ１９）。つまり、仮想ディスクにおける楽曲群を全て再生し終えたかどうかを判別する。
【００３５】
処理制御部１５は、全曲の再生が終了していないと判別すると、ステップＳ１６に処理を戻し、上述したステップＳ１６〜Ｓ１９の処理を繰り返し実行する。
一方、全曲の再生が終了していないと判別すると、処理制御部１５は、リジューム再生処理を終了する。
【００３６】
このようなリジューム再生処理によって、仮想ディスク単位の再生を行うことができ、そして、仮想ディスクの切り替えにより楽曲の再生が中断すると、中断時情報が再生管理情報１１ｂにセットされる。このため、再び元の仮想ディスクに切り替えて再生を行う際に、この中断時情報が参照され、中断した楽曲から再生が再開される。
この結果、ユーザの利便性を向上させた適切な再生を行うことができる。
【００３７】
次に、図５を参照して、より具体的な再生装置１の動作について説明する。つまり、２枚の仮想ディスク（ＢＤ１，ＢＤ２）の切り替えと楽曲の再生の様子について、具体的に説明する。
なお、最初の状態で、再生管理情報１１ｂには、何れの仮想ディスクについても、中断時情報がセットされていないものとする。
【００３８】
まず、ユーザにより操作部１６を介して、仮想ディスクＢＤ１が指定され、仮想ディスクＢＤ１の再生が指示されると、再生装置１は、仮想ディスクＢＤ１の中断時情報が再生管理情報１１ｂにないため、図２（ａ）に示すソース管理情報１１ａを参照して先頭の楽曲の再生を開始する。つまり、タイミングＴ１にて、Track３の楽曲を、タイムコードの始め（0:00）から再生する。
【００３９】
その後、タイミングＴ２にて、ユーザにより仮想ディスクＢＤ２への切り替えが指示されると、Track３の再生が中断され、再生装置１は、中断時のタイムコード（2:23）を含む仮想ディスクＢＤ１の中断時情報を再生管理情報１１ｂにセットする。そして、再生装置１は、仮想ディスクＢＤ２の中断時情報が再生管理情報１１ｂにないため、図２（ｂ）に示すソース管理情報１１ａを参照して先頭の楽曲の再生を開始する。つまり、Track７の楽曲を、タイムコードの始め（0:00）から再生する。
【００４０】
また、タイミングＴ３にて、仮想ディスクＢＤ１への切り替えが指示されると、Track７の再生が中断され、再生装置１は、中断時のタイムコード（1:58）を含む仮想ディスクＢＤ２の中断時情報を再生管理情報１１ｂにセットする。そして、再生装置１は、仮想ディスクＢＤ１の中断時情報を参照し、中断した楽曲の再生を再開する。つまり、Track３の楽曲を、中断時のタイムコード（2:23）から再生する。
【００４１】
また、タイミングＴ４にて、仮想ディスクＢＤ２への切り替えが指示されると、Track３の再生が中断され、再生装置１は、中断時のタイムコード（4:18）を含む仮想ディスクＢＤ１の中断時情報を再生管理情報１１ｂにセットする。そして、再生装置１は、仮想ディスクＢＤ２の中断時情報を参照し、Track７の楽曲を中断時のタイムコード（1:58）から再生する。
【００４２】
更に、タイミングＴ５にて、仮想ディスクＢＤ１への切り替えが指示されると、Track７の再生が中断され、再生装置１は、中断時のタイムコード（3:04）を含む仮想ディスクＢＤ２の中断時情報を再生管理情報１１ｂにセットする。そして、再生装置１は、仮想ディスクＢＤ１の中断時情報を参照し、Track３の楽曲を中断時のタイムコード（4:18）から再生する。
以降同様に、仮想ディスクが切り替わる度に、中断時のタイムコードから再生が再開されることになる。なお、仮想ディスクが切り替わる前に、楽曲の再生が終わると、ソース管理情報１１ａに沿って、次の楽曲の再生が行われる。例えば、タイミングＴ５にて再生を再開したTrack３の再生がそのまま終了すると、図２（ａ）ソース管理情報１１ａが参照され、Track２の楽曲がタイムコードの始め（0:00）から再生される。
【００４３】
上記の実施形態では、仮想ディスクが２枚の場合について説明したが、仮想ディスクの数は、２枚より多く増やすことも可能である。つまり、ＢＤ１，ＢＤ２，・・・，ＢＤｎと、適宜増やすことが可能である。ただし、管理や操作上の都合も考慮し、実働上、不便さが感じないｎの値を設定することになる。
例えば、図６（ａ）に示すような、設定画面を表示部１７に表示し、操作部１６からユーザが所望の値を設定できるようにしてもよい。
そして、ユーザに設定されたｎ枚の仮想ディスクを使用して、再生装置１は、仮想ディスク単位の再生を行う。
【００４４】
つまり、図６（ｂ）に示すように、ｎ枚の仮想ディスク（ＢＤ１，ＢＤ２，・・・ＢＤｎ）の切り替えても、楽曲の再生を適宜行うことができる。以下、簡単に説明する。
【００４５】
まず、タイミングＴ１にて、仮想ディスクＢＤ１が指定されて再生が指示されると、再生装置１は、先頭のTrack３の楽曲を始め（0:00）から再生する。その後、タイミングＴ２にて、仮想ディスクＢＤ２への切り替えが指示されると、再生装置１は、仮想ディスクＢＤ１の中断時情報をセットし、仮想ディスクＢＤ２における先頭のTrack７の楽曲を始め（0:00）から再生する。その後、タイミングＴ３にて、仮想ディスクＢＤｎへの切り替えが指示されると、再生装置１は、仮想ディスクＢＤ２の中断時情報をセットし、仮想ディスクＢＤｎにおける先頭のTrack９の楽曲を始め（0:00）から再生する。
【００４６】
また、タイミングＴ４にて、仮想ディスクＢＤ１への切り替えが指示されると、再生装置１は、仮想ディスクＢＤｎの中断時情報をセットし、仮想ディスクＢＤ１の中断時情報を参照して、Track３の楽曲をタイムコード（2:23）から再生する。また、タイミングＴ５にて、仮想ディスクＢＤ２への切り替えが指示されると、再生装置１は、仮想ディスクＢＤ１の中断時情報をセットし、仮想ディスクＢＤ２の中断時情報を参照して、Track７の楽曲をタイムコード（1:58）から再生する。また、タイミングＴ６にて、仮想ディスクＢＤｎへの切り替えが指示されると、再生装置１は、仮想ディスクＢＤ２の中断時情報をセットし、仮想ディスクＢＤｎの中断時情報を参照して、Track９の楽曲をタイムコード（1:22）から再生する。
【００４７】
更に、タイミングＴ７にて、仮想ディスクＢＤ１への切り替えが指示されると、再生装置１は、仮想ディスクＢＤｎの中断時情報をセットし、仮想ディスクＢＤ１の中断時情報を参照して、Track３の楽曲をタイムコード（4:18）から再生する。
以降同様に、仮想ディスクが切り替わる度に、中断時のタイムコードから再生が再開されることになる。
【００４８】
上記の実施形態では、中断した仮想ディスクを再度再生する際に、中断時情報を参照して、中断した楽曲のタイムコードから、つまり、楽曲の中断箇所から再生を再開する場合について説明した。
しかしながら、再生を再開する位置は、このような中断箇所に限られず、適宜変更可能である。例えば、その楽曲の先頭に戻って、再生を再開するようにしてもよい。
更に、中断時のタイムコードの値に応じて、楽曲の先頭に戻って再生を再開するか、又は、そのタイムコードから再生を再開するかを、自動的に選択するようにしてもよい。
一例として、中断時のタイムコードの値が、その楽曲の全再生時間の半分以下であれば、楽曲の先頭に戻って再生を再開し、また、全再生時間の半分より大きければ、そのタイムコードから再生を再開する。
【００４９】
上記の実施形態では、ディスクがＣＤの場合を一例として説明したが、ディスクの種類等はＣＤに限られず任意である。例えば、ＭＤ、ＣＤ（ＭＰ３等の圧縮対応）、ＨＤＤ、ＤＶＤ、ＣＤ−ＣＨＡＮＧＥＲ、及び、ＭＤ−ＣＨＡＮＧＥＲ等にも適宜適応可能である。
【００５０】
例えば、映画等のＤＶＤ（ＤＶＤ−Ｖｉｄｅｏ）等では、メイキングと本編が記録されている場合が多い。つまり、同一ディスク内でも視点を変えた違う楽しみ方をすることが一種の醍醐味となっている。
そのため、メイキングと本編とを別のソースとして管理を分けることにより、ソース切り替え操作のみで、メイキングと本編とを適宜再生することが可能である。つまり、仮想ディスクＢＤ１をメイキングの映像及び音声、そして、仮想ディスクＢＤ２を本編の映像及び音声として、ソース管理情報１１ａに登録（記憶）することで、上記と同様に、仮想ディスクの切り替え操作だけで、簡単に、メイキングと本編とを切り替えて再生することができる。
【００５１】
しかも、切り替えによる中断時の情報が再生管理情報１１ｂにて管理されるため、仮想ディスクＢＤ１を指定してメイキングを再生している途中で、仮想ディスクＢＤ２に切り替えて本編を再生し、更に本編を再生している途中で再び仮想ディスクＢＤ１に切り替えた場合でも、中断したメイキングの途中から再度再生することができる。
【００５２】
また、仮想ディスクＢＤ１を英語字幕の映像及び音声、そして、仮想ディスクＢＤ２を日本語字幕の映像及び音声として、ソース管理情報１１ａに登録（記憶）することで、上記と同様に、仮想ディスクの切り替え操作だけで、簡単に、英語字幕と日本語字幕とを切り替えて再生することができる。
【００５３】
更に、再生手法の違いを別のソースとして管理を分けることにより、ソース切り替え操作のみで、再生モードを切り替えて適宜再生するようにしてもよい。
例えば、ＭＤの再生には、グループに分けて登録した楽曲をグループ単位で再生するグループ再生という再生機能（再生手法）が備わっている場合が多い。
そのため、ＭＤ１ソース選択の場合は、グループ再生モードとし、ＭＤ２ソース選択の場合は、通常再生モードといったように、ソース切り替え操作のみで、再生モードを切り替えて再生することができる。つまり、従来の再生装置のようなグループ再生機能の切り替えを用いずとも、グループ再生と通常再生を切り替えて再生することができる。
具体的には、図７（ａ）に示すような設定画面を表示部１７に表示し、ユーザが任意に設定を行えるようにする。この場合、ユーザがグループ化したＭＤを再生する再生手法がソース切り替え操作のみで２通り（グループ再生ＯＮ／ＯＦＦ）選ぶことができ、利便性が向上する。
【００５４】
また、再生仕様の違いを別のソースとして管理を分けることにより、ソース切り替え操作のみで、再生モードを切り替えて適宜再生するようにしてもよい。
例えば、ＣＤ−Ｒ等にＭＰ３／ＷＭＡのような圧縮された楽曲データと、圧縮されていないＣＤＤＡの楽曲データとが混在して記録されている場合もある。
そのため、ＣＤソース選択の場合は、ＭＰ３／ＷＭＡのような圧縮再生モードとし、ＣＤ２ソース選択の場合は、ＣＤＤＡ再生モードといったように、ソース切り替え操作のみで、再生モードを切り替えて再生することができる。つまり、従来の再生装置のような再生切り替えを用いずとも、圧縮再生モードとＣＤＤＡ再生モードを切り替えて再生することができる。
具体的には、図７（ｂ）に示すような設定画面を表示部１７に表示し、ユーザが任意に設定を行えるようにする。この場合、圧縮／非圧縮の楽曲データが混在しているディスクを再生する際に、再生仕様がソース切り替え操作のみで２通り（圧縮再生／ＣＤＤＡ再生）選ぶことができ、利便性が向上する。
【００５５】
以上説明したように、本発明によれば、ユーザの利便性を向上させた適切な再生を行うことができる。
【図面の簡単な説明】
【００５６】
【図１】本発明の実施形態に適用される再生装置の構成の一例を示す模式図である。
【図２】（ａ），（ｂ）がソース管理情報を説明するための模式図あり、（ｃ）が物理ディスクと仮想ディスクとの関係を説明するための模式図である。
【図３】再生管理情報（中断時情報）を説明するための模式図である。
【図４】本発明の実施形態に適用されるリジューム再生処理を説明するためのフローチャートである。
【図５】２枚の仮想ディスクの切り替えと、楽曲の再生の様子を具体的に説明するための模式図である。
【図６】（ａ）が表示部に表示される表示例を示す模式図であり、（ｂ）がｎ枚の仮想ディスクの切り替えと、楽曲の再生の様子を具体的に説明するための模式図である。
【図７】（ａ），（ｂ）共に、表示部に表示される表示例を示す模式図である。
【符号の説明】
【００５７】
１    再生装置
１１  記憶部
１２  ディスク再生部
１３  アンプ
１４  スピーカ
１５  処理制御部
１６  操作部
１７  表示部
【図１】
2007280544.tif 000003
【図２】
2007280544.tif 000004
【図３】
2007280544.tif 000005
【図４】
2007280544.tif 000006
【図５】
2007280544.tif 000007
【図６】
2007280544.tif 000008
【図７】
2007280544.tif 000009